(57)【要約】【課題】被写体の位置に応じて適正なズーム処理を行うことができる。【解決手段】画像撮像装置１は、表示画像に含まれる物体の位置を特定し、表示部５０の表示領域Ｄの外枠と上記物体の位置との位置関係を判定する物体位置判定２４と、判定された位置関係に応じて、上記ズーム表示におけるズーム量を変更するズーム量制御部２５と、を備える構成である。【選択図】図１
2014207616.tif 000002
【特許請求の範囲】
【請求項１】
表示領域に表示される表示画像をズーム表示する画像表示装置であって、
上記表示画像に含まれる物体の位置を特定する位置特定手段と、
上記表示領域の外枠と上記物体の位置との位置関係を判定する位置判定手段と、
判定された位置関係に応じて、上記ズーム表示におけるズーム速度を変更するズーム速度変更手段と、を備えることを特徴とする画像表示装置。
【請求項２】
上記位置判定手段は、上記表示領域の外枠と上記物体の位置との位置関係として、上記表示領域内において、上記表示領域の外枠と上記物体の位置とが近接しているか否かを判定し、
上記ズーム速度変更手段は、上記表示領域の外枠と上記物体の位置とが近接している場合、上記ズーム表示におけるズーム速度を減少させることを特徴とする請求項１に記載の画像表示装置。
【請求項３】
上記ズーム速度変更手段は、上記表示領域の外枠と上記物体の位置とが近接している場合、上記ズーム速度を、より低速の所定のズーム速度に切り替えることを特徴とする請求項２に記載の画像表示装置。
【請求項４】
上記ズーム速度変更手段は、上記表示領域の外枠と上記物体の位置との位置関係に応じて、上記ズーム速度を徐々に減少させることを特徴とする請求項２に記載の画像表示装置。
【請求項５】
上記ズーム速度変更手段は、所定の期間、上記ズーム速度をゼロにすることを特徴とする請求項２から４のいずれか１項に記載の画像表示装置。
【請求項６】
上記ズーム速度変更手段は、所定のズーム速度によってズーム表示を行った場合に、上記物体が、上記表示領域の外枠からはみ出るとき、上記物体が、上記表示領域の外枠からはみ出ないようにズーム速度を減少させることを特徴とする請求項２に記載の画像表示装置。
【請求項７】
上記位置判定手段は、上記表示領域の外枠と上記物体の位置との位置関係として、上記表示領域の外側において、上記表示領域の外枠から上記物体の位置が所定の距離だけ離れているか否かを判定し、
上記ズーム速度変更手段は、上記表示領域の外枠から上記物体の位置が離れている場合、上記ズーム表示におけるズーム速度を増大させることを特徴とする請求項２から４のいずれか１項に記載の画像表示装置。
【請求項８】
さらに、ズーム速度が減少されたときから所定時間が経過しているか否かを判定する経過時間判定手段を備え、
上記ズーム速度変更手段は、ズーム速度が減少されたときから所定時間が経過している場合、上記ズーム表示におけるズーム速度を増大させることを特徴とする請求項２から４のいずれか１項に記載の画像表示装置。
【請求項９】
さらに、上記表示領域を所定の構図で複数の分割領域に分割する分割手段を備え、
上記位置判定手段は、さらに、上記複数の分割領域における上記物体の位置を判定することを特徴とする請求項１から８のいずれか１項に記載の画像表示装置。
【請求項１０】
表示領域に表示される表示画像をズーム表示する画像表示装置であって、
上記表示領域を所定の構図で複数の分割領域に分割する分割手段と、
上記表示画像に含まれる物体の位置を特定する位置特定手段と、
上記複数の分割領域の境界と上記物体の位置との位置関係を判定する位置判定手段と、
判定された位置関係に応じて、上記ズーム表示におけるズーム速度を変更するズーム速度変更手段と、を備えることを特徴とする画像表示装置。
【請求項１１】
表示領域に表示される表示画像をズーム表示する画像表示装置の制御方法であって、
上記表示画像に含まれる物体の位置を特定する位置特定ステップと、
上記表示領域の外枠と上記物体の位置との位置関係を判定する位置判定ステップと、
判定された位置関係に応じて、上記ズーム表示におけるズーム速度を変更するズーム速度変更ステップと、を含むことを特徴とする画像表示装置の制御方法。
【請求項１２】
表示領域に表示される表示画像をズーム表示する画像表示装置の制御方法であって、
上記表示領域を所定の構図で複数の分割領域に分割する分割ステップと、
上記表示画像に含まれる物体の位置を特定する位置特定ステップと、
上記複数の分割領域の境界と上記物体の位置との位置関係を判定する位置判定ステップと、
判定された位置関係に応じて、上記ズーム表示におけるズーム速度を変更するズーム速度変更ステップと、を含むことを特徴とする画像表示装置の制御方法。
【請求項１３】
表示領域に表示される表示画像をズーム表示する画像表示プログラムであって、
上記表示画像に含まれる物体の位置を特定する位置特定ステップと、
上記表示領域の外枠と上記物体の位置との位置関係を判定する位置判定ステップと、
判定された位置関係に応じて、上記ズーム表示におけるズーム速度を変更するズーム速度変更ステップと、を含む処理をコンピュータに実行させるための画像表示プログラム。
【請求項１４】
表示領域に表示される表示画像をズーム表示する画像表示プログラムであって、
上記表示領域を所定の構図で複数の分割領域に分割する分割ステップと、
上記表示画像に含まれる物体の位置を特定する位置特定ステップと、
上記複数の分割領域の境界と上記物体の位置との位置関係を判定する位置判定ステップと、
判定された位置関係に応じて、上記ズーム表示におけるズーム速度を変更するズーム速度変更ステップと、を含む処理をコンピュータに実行させるための画像表示プログラム。
【請求項１５】
請求項１３または１４に記載の画像表示プログラムを記録したコンピュータ読み取り可能な記録媒体。
【請求項１６】
被写体を撮像する撮像部と、
請求項１から１０のいずれか１項に記載の画像表示装置とを備え、
上記撮像部において得られる画像を上記表示領域に表示することを特徴とする画像撮像機器。
【発明の詳細な説明】
【技術分野】
【０００１】
本発明は、表示部において表示される表示画像に対してズーム処理を行う画像表示装置、画像表示装置の制御方法、画像表示プログラム、および、これを記録したコンピュータ読み取り可能な記録媒体
に関する。
【背景技術】
【０００２】
従来、被写体を撮像素子によって撮影してデジタル画像を生成する画像撮影装置（例えば、デジタルスチルカメラ）や、デジタル画像を表示部において表示する画像表示装置（例えば、画像ビュアー）などのデジタル画像処理装置が知られている。
【０００３】
また、デジタル画像処理装置には、デジタル画像に含まれる被写体を任意の大きさに拡大または縮小するズーム機能を有しているものもある。例えば、画像撮影装置では、ズームイン操作またはズームアウト操作をすることにより、被写体を所望の大きさで撮影することができる。また、例えば、画像表示装置では、表示するデジタル画像の所定範囲（例えば、被写体が含まれる範囲）を所望の大きさに拡大または縮小したりすることができる。
【０００４】
従来、このようなズーム機能に関して、例えば、以下のような提案がなされてきた。特許文献１では、ズーム初期位置からズーム目標位置に至るまでのズーム位置の変化量に基づいて、ズーム速度を、ズーム目標位置へ近づくにつれて段階的に小さくすることが提案されている。
【０００５】
また、特許文献２では、自動画角制御において、被写体の大きさの変化量に応じた可変なズーム速度で画角変化を行うことが提案されている。
【０００６】
また、特許文献３では、前回撮影した時の焦点距離（ズーム位置）を記憶しておき、現在の焦点距離が、記憶された焦点距離に近づくと焦点距離を変更するスピードを遅くすることが提案されている。
【先行技術文献】
【特許文献】
【０００７】
【特許文献１】特開２０１１−１６６３０６号公報（２０１１年８月２５日公開）
【特許文献２】特開平１０−２３３１３号公報（１９９８年１月２３日公開）
【特許文献３】特開２００５−３０８８３６号公報（２００５年１１月４日公開）
【発明の概要】
【発明が解決しようとする課題】
【０００８】
しかしながら、上述のような従来技術では、ユーザが画像のズームを素早く適切な値にしようと操作を行っても、過剰な拡大操作により意図せず被写体の一部が領域外に出てしまうなど、構図を十分適切に調整できない場合がある。例えば、特許文献１〜３の技術は、被写体の大きさの変化量やズーム位置の変化量、あるいは記憶された焦点距離に基づく画角制御を行うものであり、被写体の位置は考慮していない。
【０００９】
本発明は、上記問題に鑑みてなされたものであり、その目的は、被写体の位置に応じて適正にズーム処理を制御することができる画像表示装置、画像表示装置の制御方法、画像表示プログラム、および、これを記録したコンピュータ読み取り可能な記録媒体を提供することにある。
【課題を解決するための手段】
【００１０】
上記の課題を解決するために、本発明に係る画像表示装置は、表示領域に表示される表示画像をズーム表示する画像表示装置であって、上記表示画像に含まれる物体の位置を特定する位置特定手段と、上記表示領域の外枠と上記物体の位置との位置関係を判定する位置判定手段と、判定された位置関係に応じて、上記ズーム表示におけるズーム速度を変更するズーム速度変更手段と、を備えることを特徴とする。
【００１１】
また、上記の課題を解決するために、本発明に係る画像表示装置の制御方法は、表示領域に表示される表示画像をズーム表示する画像表示装置の制御方法であって、上記表示画像に含まれる物体の位置を特定する位置特定ステップと、上記表示領域の外枠と上記物体の位置との位置関係を判定する位置判定ステップと、判定された位置関係に応じて、上記ズーム表示におけるズーム速度を変更するズーム速度変更ステップと、を含むことを特徴とする。
【００１２】
画像表示装置は、撮像素子によって被写体を撮像して画像データを生成するとともに、生成した画像データを表示部に表示する画像撮像装置であってもよいし、画像データを読み込んで表示部に表示する画像表示装置であってもよい。
【００１３】
上記構成によれば、まず、表示領域の外枠と物体の位置との位置関係を判定する。表示領域は、ディスプレイ等の表示部の全体であってもよいし、表示部の一部においてウインドウ表示されるものであってもよい。
【００１４】
なお、ズーム表示は、画像表示装置が、画像撮像装置として実現される場合、光学的にズームを行うものであってもよいし、表示画像を画像データ処理してデジタル的に拡大するものであってもよい。
【００１５】
上記表示領域の外枠と上記物体の位置との位置関係は、例えば、表示領域の外枠と物体の位置との距離関係ということもできる。物体の位置は、物体を検出したときに設定される矩形領域（検出枠）を基準とすることもできるし、検出された物体の輪郭を基準とすることができる。
【００１６】
また、位置関係を判定するとは、例えば、上記表示領域の外枠と上記物体の位置とが近接しているのか否かを判定することである。また、さら例示すれば、位置関係を判定するとは、上記物体の位置が、上記表示領域の外枠に対して、どのような位置にあるかを判定することである。
【００１７】
また、例えば、上記位置関係の判定では、表示領域の外枠と、物体の検出枠または輪郭とが最も近くなるような箇所について算出された距離を用いることができる。
【００１８】
また、上記構成によれば、判定された位置関係に応じて、ズーム表示におけるズーム速度を変更することができる。なお、ズーム速度は、単位時間当たりのズーム量と表現することもできる。また、ズーム速度は、単位操作当たりのズーム量と表現することもできる。また、ズーム速度は、１回の操作当たりに表示画像を拡大する倍率で表す場合、ズーム倍率といってもよい。
【００１９】
よって、判定された位置関係に応じて、ズーム表示におけるズーム速度を、増大させたり、減少させたりすることができる。
【００２０】
より具体的には、例えば、物体の位置が表示領域の外枠付近にある場合、ズーム速度を減少させて、表示画面に含まれる物体が表示領域に留まるよう調整することができる。また、例えば、物体の位置が表示領域の外枠の外に所定の距離だけフレームアウトした場合、ズーム速度を増大させて、元のズーム速度に戻すこともできる。
【００２１】
以上により、物体の位置に応じた、適正なズーム処理を行うことができるという効果を奏する。
【００２２】
本発明に係る画像表示装置では、上記位置判定手段は、上記表示領域の外枠と上記物体の位置との位置関係として、上記表示領域内において、上記表示領域の外枠と上記物体の位置とが近接しているか否かを判定し、上記ズーム速度変更手段は、上記表示領域の外枠と上記物体の位置とが近接している場合、上記ズーム表示におけるズーム速度を減少させることが好ましい。
【００２３】
上記構成によれば、物体の位置が表示領域の外枠付近にある場合、ズーム速度を減少させることができる。
【００２４】
物体の位置が表示領域の外枠付近にあるかどうかは、例えば、物体の位置が、表示領域の外枠に対して、所定の距離以内に近接したかどうかによって判定することができる。
【００２５】
ズーム速度の減少量は、段階的なものであってもよいし、連続的なものであってもよい。また、所定のズーム速度でズーム表示を行って、物体の位置が表示領域の外枠付近でないところから、表示領域の外枠付近に到達したとき、所定のズーム速度をより小さい別のズーム速度に切り替えてもよい。また、ズーム速度を減少させることには、所定の期間、ズーム速度をゼロにしてズーム表示を停止させることも含まれる。
【００２６】
上記構成によれば、物体の位置が表示領域の外枠付近にある場合、ズーム速度を減少させて、表示画面に含まれる物体が表示領域に留まるよう調整することができる。
【００２７】
本発明に係る画像表示装置では、上記ズーム速度変更手段は、上記表示領域の外枠と上記物体の位置とが近接している場合、上記ズーム速度を、より低速の所定のズーム速度に切り替えることが好ましい。
【００２８】
上記構成によれば、より低速なズーム速度に切り替えることで、ズーム速度を減少させる。よって、低速なズーム速度に切り替わったあとのズーム表示の間においてユーザに対してズームを継続するかどうかを判断する時間を与えることができる。
【００２９】
本発明に係る画像表示装置では、上記ズーム速度変更手段は、上記表示領域の外枠と上記物体の位置との位置関係に応じて、上記ズーム速度を徐々に減少させることが好ましい。
【００３０】
上記構成によれば、ズーム速度を徐々に減少させてズーム表示を行うことができ、このようなズーム表示の間においてユーザに対してズームを継続するかどうかを判断する時間を与えることができる。
【００３１】
本発明に係る画像表示装置では、上記ズーム速度変更手段は、所定の期間、上記ズーム速度をゼロにすることが好ましい。
【００３２】
上記構成によれば、所定の期間、ズーム速度をゼロにして、ズーム表示を停止することができる。よって、ズーム表示を停止している間、ユーザに対してズームを継続するかどうかを判断する時間を与えることができる。
【００３３】
本発明に係る画像表示装置では、上記ズーム速度変更手段は、所定のズーム速度によってズーム表示を行った場合に、上記物体の位置が、上記表示領域の外枠からはみ出るとき、上記物体の位置が、上記表示領域の外枠からはみ出ないようにズーム速度を減少させることが好ましい。
【００３４】
上記構成によれば、所定のズーム速度によってズーム表示を行った場合に、上記物体の位置が、上記表示領域の外枠からはみ出るとき、ズーム速度を減少させて、上記物体の位置が、上記表示領域の外枠からはみ出ないようにすることができる。
【００３５】
本発明に係る画像表示装置では、上記位置判定手段は、上記表示領域の外枠と上記物体の位置との位置関係として、上記表示領域の外側において、上記表示領域の外枠から上記物体の位置が所定の距離だけ離れているか否かを判定し、上記ズーム速度変更手段は、上記表示領域の外枠から上記物体の位置が離れている場合、上記ズーム表示におけるズーム速度を増大させることが好ましい。
【００３６】
上記表示領域の外枠から上記物体の位置が離れている場合、ユーザにズーム表示を継続する意思があると判断することができる。このような場合、ズーム速度を増大させてズーム表示を行うことが望ましい。
【００３７】
上記構成によれば、上記表示領域の外枠から上記物体の位置が離れている場合、減少されたズーム速度を増大させることができる。
【００３８】
本発明に係る画像表示装置では、さらに、ズーム速度が減少されたときから所定時間が経過しているか否かを判定する経過時間判定手段を備え、上記ズーム速度変更手段は、ズーム速度が減少されたときから所定時間が経過している場合、上記ズーム表示におけるズーム速度を増大させることが好ましい。
【００３９】
ズーム速度が減少されたときから所定時間が経過している場合、ユーザにズーム表示を継続する意思があると判断することができる。このような場合、ズーム速度を増大させてズーム表示を行うことが望ましい。
【００４０】
上記構成によれば、ズーム速度が減少されたときから所定時間が経過している場合、減少されたズーム速度を増大させることができる。
【００４１】
本発明に係る画像表示装置では、さらに、上記表示領域を所定の構図で複数の分割領域に分割する分割手段を備え、上記位置判定手段は、さらに、上記複数の分割領域における上記物体の位置を判定することが好ましい。
【００４２】
所定の構図とは、例えば、３分割法による構図のことを示す。上記構成によれば、上記表示領域を所定の構図で複数の分割領域に分割する。例えば、所定の構図が３分割法によるものであれば、表示領域を、水平方向および垂直方向についてそれぞれ３等分し、９つの分割領域を得る。
【００４３】
また、物体の位置は、物体の重心を基準として判定してもよいし、物体の輪郭・検出枠を基準として判定してもよい。
【００４４】
上記構成によれば、このような複数の分割領域における物体の位置を判定し、その結果に応じて、上記ズーム表示におけるズーム速度を変更する。ズーム速度の変更についてはすでに説明した技法を用いることができる。
【００４５】
上記構成によれば、ズーム処理において、分割領域の境界付近で、ズーム速度を変更するこができる。これにより、構図上、均整がとれるような位置に物体がズーム表示されたときに、ズーム速度を減少させることができる。
【００４６】
これにより、ズーム表示によって、物体の位置が、構図上、均整がとれるような位置にきたときに、ユーザに対してズーム表示を継続させるかどうか判断させる時間を与えることができる。
【００４７】
上記の課題を解決するために、本発明に係る画像表示装置は、表示領域に表示される表示画像をズーム表示する画像表示装置であって、上記表示領域を所定の構図で複数の分割領域に分割する分割手段と、上記表示画像に含まれる物体の位置を特定する位置特定手段と、上記複数の分割領域の境界と上記物体の位置との位置関係を判定する位置判定手段と、判定された位置関係に応じて、上記ズーム表示におけるズーム速度を変更するズーム速度変更手段と、を備えることを特徴とする。
【００４８】
また、上記の課題を解決するために、本発明に係る画像表示装置の制御方法は、表示領域に表示される表示画像をズーム表示する画像表示装置の制御方法であって、上記表示領域を所定の構図で複数の分割領域に分割する分割ステップと、上記表示画像に含まれる物体の位置を特定する位置特定ステップと、上記複数の分割領域の境界と上記物体の位置との位置関係を判定する位置判定ステップと、判定された位置関係に応じて、上記ズーム表示におけるズーム速度を変更するズーム速度変更ステップと、を含むことを特徴とする。
【００４９】
上記構成によっても、ズーム処理において、分割領域の境界付近で、ズーム速度を変更するこができる。これにより、構図上、均整がとれるような位置に物体がズーム表示されたときに、ズーム速度を減少させることができる。このため、物体の位置に応じた、適正なズーム処理を行うことができるという効果を奏する。
【００５０】
本発明の各態様に係る画像表示装置は、コンピュータによって実現してもよく、この場合には、コンピュータを上記画像表示装置が備える各手段として動作させることにより上記画像表示装置をコンピュータにて実現させる画像表示装置の制御プログラム、およびそれを記録したコンピュータ読み取り可能な記録媒体も、本発明の範疇に入る。
【００５１】
また、被写体を撮像する撮像部と、上記画像表示装置とを備え、上記撮像部において得られる画像を上記表示領域に表示する画像撮像機器も本発明の範疇に入る。例えば、デジタルスチルカメラや、カメラ付きの情報端末（ノート型ＰＣ、タブレット型ＰＣ、スマートフォン）に適用することができる。
【発明の効果】
【００５２】
本発明に係る画像表示装置は、表示領域に表示される表示画像をズーム表示する画像表示装置であって、上記表示画像に含まれる物体の位置を特定する位置特定手段と、上記表示領域の外枠と上記物体の位置との位置関係を判定する位置判定手段と、判定された位置関係に応じて、上記ズーム表示におけるズーム速度を変更するズーム速度変更手段と、を備える構成である。
【００５３】
また、本発明に係る画像表示装置の制御方法は、表示領域に表示される表示画像をズーム表示する画像表示装置の制御方法であって、上記表示画像に含まれる物体の位置を特定する位置特定ステップと、上記表示領域の外枠と上記物体の位置との位置関係を判定する位置判定ステップと、判定された位置関係に応じて、上記ズーム表示におけるズーム速度を変更するズーム速度変更ステップと、を含む方法である。
【００５４】
本発明に係る画像表示装置は、表示領域に表示される表示画像をズーム表示する画像表示装置であって、上記表示領域を所定の構図で複数の分割領域に分割する分割手段と、上記表示画像に含まれる物体の位置を特定する位置特定手段と、上記複数の分割領域の境界と上記物体の位置との位置関係を判定する位置判定手段と、判定された位置関係に応じて、上記ズーム表示におけるズーム速度を変更するズーム速度変更手段と、を備える構成である。
【００５５】
また、本発明に係る画像表示装置の制御方法は、表示領域に表示される表示画像をズーム表示する画像表示装置の制御方法であって、上記表示領域を所定の構図で複数の分割領域に分割する分割ステップと、上記表示画像に含まれる物体の位置を特定する位置特定ステップと、上記複数の分割領域の境界と上記物体の位置との位置関係を判定する位置判定ステップと、判定された位置関係に応じて、上記ズーム表示におけるズーム速度を変更するズーム速度変更ステップと、を含む方法である。
【００５６】
このため、物体の位置に応じた、適正なズーム処理を行うことができるという効果を奏する。
【図面の簡単な説明】
【００５７】
【図１】本発明の一実施形態に係る画像撮像装置の概略的な構成を示す機能ブロック図である。
【図２】操作量に対するズーム量の関係を示すグラフと、グラフの各点における表示部の表示について示す図である。
【図３】画像データに含まれるランドマークの検出物体領域と、表示領域の外枠との位置関係について説明する図である。
【図４】操作量に対するズーム量の関係の一例を示すグラフである。
【図５】（ａ）〜（ｃ）は、画像データに含まれるランドマークの検出物体領域と、表示領域の外枠との位置関係について説明する別の図である。
【図６】実施例１に係る画像撮像装置におけるズーム処理の流れの一例を示すフローチャートである。
【図７】操作量に対するズーム量の関係の一例を示すグラフである。
【図８】実施例２に係る画像撮像装置のズーム処理の流れについて例示するフローチャートである。
【図９】操作量に対するズーム量の関係の一例を示すグラフである。
【図１０】実施例３に係る画像撮像装置のズーム処理の流れについて例示するフローチャートである。
【図１１】操作量に対するズーム量の関係の一例を示すグラフである。
【図１２】実施例４に係る画像撮像装置のズーム処理の流れについて例示するフローチャートである。
【図１３】本発明の他の実施形態に係る画像表示装置の概略的な構成を示す機能ブロック図である。
【図１４】上記画像表示装置における段階式ズームの概要について説明する図である。
【図１５】上記画像表示装置のズーム処理の流れについて例示するフローチャートである。
【図１６】本発明の別の実施形態に係る画像撮像装置の概略的な構成を示す機能ブロック図である。
【図１７】操作量に対するズーム量の関係を示すグラフと、グラフの各点における表示部の表示について示す図である。
【図１８】３分割法を応用したズーム処理について説明する図である。
【発明を実施するための形態】
【００５８】
〔実施形態１〕
本発明の一実施形態について図１〜図１２を参照して説明する。まず、図１を用いて、本発明の一実施形態に係る画像撮像装置１について説明する。画像撮像装置１は、具体的には、デジタルスチルカメラや、カメラ付きの情報端末（ノート型ＰＣ、タブレット型ＰＣ、スマートフォン）などにより実現することが可能である。画像撮像装置１には、例示的に、撮影を行う撮影モードと、撮影した画像を閲覧するための画像閲覧モードとの２つの動作モードを有している。
【００５９】
図１に示すように、画像撮像装置１は、記憶部１０、制御部２０、操作部３０、撮像部４０、および、表示部５０を備える。
【００６０】
記憶部１０は、各種データおよびプログラムを記憶するものである。記憶部１０は、例えば、ＲＯＭ（Read Only Memory）、ＲＡＭ（Random Access Memory）、および不揮発性メモリ（例えばフラッシュメモリ）等の記憶装置を組み合わせることにより実現することができる。なお、記憶部１０に記憶される各種データの詳細については後述する。
【００６１】
制御部２０は、画像撮像装置１における各種機能を統括的に制御するものである。制御部２０の機能は、記憶部１０などに記憶されたプログラムをＣＰＵ（Central Processing Unit）などの処理装置が実行することによって実現される。例えば、制御部２０は、ズーム制御機能を備えている。なお、制御部２０がズーム制御機能を実現するための構成については後述する。
【００６２】
操作部３０は、ユーザから各種の入力を受け付けるものであり、例えば、各機能が割り当てられた入力用ボタンにより実現することができる。なお、操作部３０は、これに限られず、任意の入力デバイスによって実現できる。例えば、後述の表示部５０において操作部３０をタッチパネルとして構成し、タッチ入力を実現してもよい。操作部３０は、受け付けたユーザの操作に応じて操作信号または操作データを生成し、生成したデータを制御部２０に送信する。操作部３０の詳細については後述する。
【００６３】
撮像部４０は、撮像素子により被写体を撮像して画像データＰを生成するものである。撮像部４０は、具体的には、撮像レンズ、撮像素子、フレームメモリ、メカ機構、モータ、フラッシュ等から構成される。また、撮像素子としては、ＣＣＤ（Charge Coupled Device）や、ＣＭＯＳ（Complementary Metal Oxide Semiconductor）などを採用することができる。また、撮像部４０は、制御部２０からの撮影指示に応じて、フラッシュ等の撮影条件に応じた撮影を行って、画像データＰを生成してもよい。撮像部４０は、生成した画像データＰを制御部２０に供給する。
【００６４】
表示部５０は、画面表示を行う表示領域を有しており、当該表示領域において、画面表示により、ユーザに対して情報提供を行うものである。表示部５０は、制御部２０から受信した画面データに基づいて、表示画面に文字や画像などの各種の情報を表示する。表示部５０は、例えば、ＬＣＤ（Liquid Crystal Display）、ＰＤＰ（Plasma Display Panel）、ＥＬ（Electroluminescence）ディスプレイなどの表示装置によって実現可能である。
【００６５】
（記憶部の構成）
記憶部１０は、より具体的には、撮像画像記憶部１１および画面サイズ情報記憶部１２を備える。
【００６６】
撮像画像記憶部１１には、撮像部４０によって生成された画像データＰが記憶される。なお、以下では、撮像画像記憶部１１には、撮像部４０によって生成された画像データＰが記憶されている場合について例示するが、これに限られない。撮像画像記憶部１１には、任意の画像データを記憶させておくことができる。例えば、撮像画像記憶部１１には、通信ネットワークや、外部記憶媒体から転送された画像データを記憶させておくことができる。
【００６７】
画面サイズ情報記憶部１２には、表示部５０における表示領域のサイズを示す画面サイズ情報が記憶される。画面サイズ情報は、例えば、画面の縦の大きさ、および、画面の横の大きさを示す情報（Ｍ×Ｎ）であってもよい。
【００６８】
（操作部の構成）
操作部３０は、より具体的には、撮影ボタン３１、画像閲覧ボタン３２、ズームボタン３３、およびモード切替ボタン３４を備える。
【００６９】
撮影ボタン３１は、撮影モードにおいて、撮像部４０における撮影を行うための操作ボタンである。
【００７０】
画像閲覧ボタン３２は、画像閲覧モードにおいて、表示部５０に、撮像画像記憶部１１に記憶されている画像データを表示するための操作ボタンである。
【００７１】
ズームボタン３３は、表示部５０における表示領域に表示される画像のズーム処理を行うための操作ボタンである。
【００７２】
モード切替ボタン３４は、動作モードを、撮影モードと、画像閲覧モードとの間で切り替えるための操作ボタンである。
【００７３】
なお、以下では、説明の便宜上、特に断りがない限り、モード切替ボタン３４により、動作モードが撮影モードとなっている場合について説明する。
【００７４】
（制御部の構成）
制御部２０は、より具体的には、画像取得部２１、表示制御部２２、ズーム操作受付部２３、物体位置判定部２４、およびズーム量制御部２５を備える。
【００７５】
画像取得部２１は、撮像部４０から画像データＰを取得する。画像取得部２１は、画像取得部２１は、撮像部４０において生成される画像データＰを継続的に取得し、取得した画像データＰを表示制御部２２および物体位置判定部２４に供給する。さらにここで、撮影ボタン３１が操作されると、画像取得部２１は、撮像部４０に撮影を行うように指示する。画像取得部２１は、上記指示に応じて撮像部４０において生成された画像データＰを取得し、取得した画像データＰを、撮像画像記憶部１１に記憶する。
【００７６】
表示制御部２２は、表示部５０における画面表示の制御を行う。表示制御部２２は、具体的には、画像取得部２１から供給される画像データＰに基づいて画面データを生成する。表示制御部２２は、画像取得部２１が取得した画像データＰにズーム処理を施したデータを画面データとする。ズーム処理は、光学的な光学ズームであっても、画像データ処理に基づくデジタルズームであってもよい。デジタルズームによるズーム処理を行う場合、表示制御部２２は、画像データをズーム量に従って拡大処理すればよい。また、光学的なズームによるズーム処理を行う場合、表示制御部２２が、撮像部４０にズーム量を指示する構成とすればよい。なお、以下では、説明の便宜上、デジタルズームについて説明する。表示制御部２２は、生成した画面データを表示部５０に供給する。
【００７７】
ズーム操作受付部２３は、ズームボタン３３における操作（以下、ズーム操作と称する）に応じてズーム処理を受け付ける。画像ズーム操作受付部２３は、ズーム処理を受け付けると、ズーム処理を受け付けた旨を、物体位置判定部２４、およびズーム量制御部２５に通知する。
【００７８】
物体位置判定部２４は、ズーム処理が受け付けられたときに、画像データから物体を検出し、画面サイズ情報記憶部１２に記憶されている画面サイズ情報に基づいて、検出した物体の表示領域内での位置を判定するものである。
【００７９】
なお、物体位置判定部２４が検出する物体は、表示領域Ｄ上の位置が特定可能な物体であればとくに制限はない。物体位置判定部２４は、例えば、人物の顔、人体、ランドマーク等の物体を検出対象としてもよい。また、物体位置判定部２４は、物体検出を画像データＰの画像解析によって自動的に行ってもよい。また、物体位置判定部２４は、ユーザによって事前に指定された検出対象を検出対象としてもよい。
【００８０】
また、物体位置判定部２４は、検出した物体のうち、操作部３０における操作によりユーザによって選択されたもののみを、位置の判定の対象としてもよい。ユーザによる選択は、撮影中に受け付けても、事前に受け付けても構わない。物体位置判定部２４は、判定結果をズーム量制御部２５に通知する。
【００８１】
ズーム量制御部２５は、表示領域内・外における物体の位置の判定結果に基づいて、ズーム量（あるいは、ズーム率・ズーム速度）を決定する。ズーム量制御部２５は、決定したズーム量を表示制御部２２に供給する。
【００８２】
（画像撮像装置のズーム処理の概要）
次に、図２を用いて、画像撮像装置１のズーム処理の概要を説明する。図２は、操作量に対するズーム量の関係を示すグラフと、グラフの各点における表示部５０の表示について示す図である。図２に示すグラフでは、ズーム操作の操作量を横軸とし、ズーム量を縦軸としている。なお、グラフの横軸は時間軸と考えてもよい。例えば、ズームボタンを押下している時間と考えてもよい。
【００８３】
図２は、ズーム操作の操作量がＴ０、Ｔ（Ｘ１）、およびＴ（Ｘ２）のとき、表示部５０における画面表示Ｄがそれぞれ状態ＯＰ１、状態ＯＰ２、および状態ＯＰ３となることを示している。
【００８４】
状態ＯＰ１は、ズーム処理を行う前の初期状態を示している。表示部５０の矩形の表示領域Ｄには、撮像部４０からの画像データＰが画面データとして表示される。以下では例示的に、表示領域Ｄを横長の長方形に構成しているが、これに限られない。表示領域Ｄのアスペクト比としては任意のものを採用することができる。
【００８５】
表示領域Ｄに表示される画面データ（すなわち、画像データＰ）には、人物Ｍ１と、ランドマークＭ２とが含まれる。人物Ｍ１とランドマークＭ２とは、物体位置判定部２４における物体検出処理により検出されており、人物Ｍ１とランドマークＭ２とには、それぞれ、検出された物体が存在することを示す検出物体領域（検出枠と称してもよい）Ｒ１およびＲ２が設定される。検出物体領域Ｒ１およびＲ２は、それぞれ、例示的に、物体を含む矩形としているが、これに限られない。物体位置判定部２４は、物体の輪郭を検出して、検出した輪郭を当該物体の検出物体領域と設定してもよい。初期状態において、操作量Ｔ０＝０では、ズーム量も０である。
【００８６】
状態ＯＰ１において、ズームボタン３３を操作量Ｔ（Ｘ１）だけ操作することで状態ＯＰ２に遷移する。状態ＯＰ２では、ランドマークＭ２の検出物体領域Ｒ２が、ズーム処理によって表示領域Ｄの外枠に重なっている。
【００８７】
具体的には、状態ＯＰ２では、ランドマークＭ２の検出物体領域Ｒ２の左辺と上辺とが、それぞれ表示領域Ｄの外枠の左辺の一部と上辺の一部とにほぼ重なっている。ズーム処理の操作量Ｔ０からＴ（Ｘ１）にかけて増加するにつれて、ランドマークＭ２の検出物体領域Ｒ２は、表示領域Ｄの外枠に近づく。ランドマークＭ２の検出物体領域Ｒ２が表示領域Ｄの外枠に近づくにつれて、画像撮像装置１は単位操作量に対するズーム量の増加量（ズーム速度；グラフの傾き）を徐々に低減させる。
【００８８】
結果として、図２のグラフに示すように、操作量がＴ０から一定量増加すると、Ｔ（Ｘ１）にかけて単位操作量に対するズーム量の増加量は徐々に低減する。Ｔ（Ｘ１）付近では、ズーム速度は略ゼロになっている。また、ズーム速度をゼロに設定して、ズーム処理を停止させても構わない。
【００８９】
また、ある物体が表示領域Ｄの外枠に近接したことでズーム処理を停止した場合、図２の状態ＯＰ２において示すように、ズーム処理の停止が行われていることを示す標識（「Ｓｔｏｐ」）当該物体に付随して画面領域上において表示してもよい。なお、図示していないが、ズーム速度の減速が行われている場合についても同様に、“ズーム速度の減速”を行っていることを示す標識を表示させてもよい。
【００９０】
なお、以上では、画像撮像装置１がズーム速度の変化量を徐々に変化させることにについて説明したが、これに限られない。ランドマークＭ２の検出物体領域Ｒ２と、表示領域Ｄの外枠との位置関係に応じて、ズーム速度を、通常のズーム速度から、当該通常のズーム速度よりも低速な低速ズーム速度に切り替えても構わない。以下の説明においても同様である。
【００９１】
さらに状態ＯＰ２から、ズームボタン３３を操作量Ｔ（Ｘ２）まで操作すると状態ＯＰ３に遷移する。状態ＯＰ３では、人物Ｍ１の検出物体領域Ｒ１の上辺と右辺とが、それぞれ表示領域Ｄの外枠の右辺の一部と上辺の一部とほぼ重なっている。
【００９２】
Ｔ（Ｘ１）以降、ランドマークＭ２の検出物体領域Ｒ２の左辺と上辺とが表示領域Ｄからフレームアウトすると、徐々にズーム速度が増大する。結果として、図２のグラフに示すように操作量がＴ（Ｘ１）から一定量までは、操作量の増加に伴って、徐々にズーム速度が増大する。さらに操作量を増やすとズーム速度（すなわち、グラフの傾き）は一定になる。なお、このときズーム速度は、元のズーム速度に戻っていてもよいし、元のズーム速度より大きく設定されていても、小さく設定されていてもよい。
【００９３】
また、人物Ｍ１の検出物体領域Ｒ１の上辺と右辺とが、表示領域Ｄの外枠に近づくにつれて、ズーム速度は、低減してＴ（Ｘ２）付近で略ゼロになる。結果として、図２のグラフに示すように操作量が、Ｔ（Ｘ２）に近づくと、ズーム速度は、低減してＴ（Ｘ２）付近で略ゼロになる。すなわち、さらにＴ（Ｘ２）以降は、操作量の増加に伴って、徐々にズーム速度が増大する。
【００９４】
なお、以上の説明では、主として、検出物体領域Ｒ１の上辺と、表示領域Ｄの外枠の上辺との位置関係に注目した。しかしながら、これに限られず、四辺のうち、上辺だけでなく、左辺、右辺、および下辺について判定してもよい。
【００９５】
また、物体位置判定部２４は、表示領域Ｄの外枠と検出物体領域Ｒ１との距離が最も小さくなる辺について位置関係を判定してもよい。
また、上述したように、複数の物体が検出されているときは、物体ごとに表示領域Ｄの外枠との位置関係を判定してもよい。以下において説明する具体的な各実施例について同様である。
【００９６】
（実施例１）
次に、図３〜図５を用いて、画像撮像装置１のズーム処理のより詳しい一実施例について説明する。本実施例では、通常のズーム速度と低速ズーム速度とを切り替えることについて説明する。
【００９７】
図３は、ランドマークＭ２の検出物体領域Ｒ２と、表示領域Ｄの外枠との位置関係について説明する図である。図４は、操作量に対するズーム量の関係の一例を示すグラフである。また、図５は、ランドマークＭ２の検出物体領域Ｒ２と、表示領域Ｄの外枠との位置関係について説明する別の図である。
【００９８】
本実施例では、ズーム操作中に、検出物体領域が、表示領域Ｄの外枠から所定の距離以内に近づいた場合、ズーム速度を低速ズーム速度に切り替える（減速）。また、さらなるズーム操作中に、検出物体領域が、所定の距離以上、表示領域Ｄの外枠からフレームアウトした場合、ズーム速度を通常のズーム速度に切り替える（加速）。なお、さらなるズーム操作中に所定の時間が経過した場合、ズーム速度を通常のズーム速度に切り替えてもよい（加速）。
【００９９】
より具体的に説明すると以下のとおりである。以下では、図３に示す位置関係を、画像撮像装置１のズーム処理の初期状態とし、検出物体領域Ｒ２の上辺と、表示領域Ｄの外枠の上辺との位置関係に注目して説明する。
【０１００】
また、以下の説明では、表示領域Ｄの座標系は、左上を原点（０，０）とする。図３に示すように、表示領域Ｄの外枠の上辺に対する、ランドマークＭ２の検出物体領域Ｒ２の上辺の垂直方向の位置をＬとする。いいかえれば、Ｌの大きさは、表示領域Ｄの外枠の上辺とランドマークＭ２の検出物体領域Ｒ２の上辺との距離を表わす。
【０１０１】
また、表示領域Ｄの外枠の上辺よりも上方の領域は、負の符号を付して位置を表わす。この場合、Ｌは負の値となる。また、図３に示す閾値ｔｈ１（＞０）およびｔｈ２（＜０）は、ズーム処理の減速／加速を行う位置関係の判定基準を規定するものである。なお、閾値ｔｈ１およびｔｈ２の一方は、０であっても構わない。
【０１０２】
なお、以上は説明の便宜のためのものであり、これらに限定されない。原点、および座標系、位置の表現は任意のものを採用することができる。
【０１０３】
ズーム操作が開始されると、操作量の増加にともない、ズーム処理により検出物体領域Ｒ２の上辺と、表示領域Ｄの外枠の上辺とが接近する。すなわち、操作量の増加にともない図３に示すＬは短くなっていく。ここで、Ｌ＞ｔｈ１であれば、物体位置判定部２４は、ランドマークＭ２の検出物体領域Ｒ２の表示領域内での位置が外枠付近でないと判定する。これに応じて、ズーム量制御部２５は、ズーム速度を通常のズーム速度とする。よって、図４に示す通り操作量Ｔ０〜Ｔ１の区間では、通常のズーム速度でズーム処理が行われる。
【０１０４】
さらに、ズーム操作が継続して行われ、操作量がＴ１になると、図５の（ａ）に示すように、Ｌ＝ｔｈ１となる。そして、さらにＬ＜ｔｈ１となったとき、物体位置判定部２４は、ランドマークＭ２の検出物体領域Ｒ２の表示領域内での位置が外枠付近であると判定する。これに応じて、ズーム量制御部２５は、ズーム速度を低速ズーム速度とする。
【０１０５】
なお、Ｔ０−Ｔ１の区間は、“Ｌ≦ｔｈ１”で表わされていてもよい。境界値がどちらの区間に属するかは任意に設定できる。以下の説明においても同様である。
【０１０６】
また、さらに、ズーム操作が継続して行われると、図５の（ｂ）に示すように、Ｌ＝０となる。このとき、検出物体領域Ｒ２の上辺と、表示領域Ｄの外枠の上辺とが重なり合う。さらに、ズーム操作が継続して行われると、検出物体領域Ｒ２の上辺付近は表示領域Ｄの外枠の外にフレームアウトし始める（Ｌは負の表現となる）。物体位置判定部２４は、ｔｈ２＜Ｌ＜０であれば、ランドマークＭ２の検出物体領域Ｒ２の表示領域外での位置が外枠付近であると判定する。これに応じて、ズーム量制御部２５は、ズーム速度を低速ズーム速度とする。
【０１０７】
以上により図４に示す通り操作量Ｔ１〜Ｔ２（ｔｈ２＜Ｌ＜ｔｈ１）の区間では、低速ズーム速度でズーム処理が行われる。
【０１０８】
操作量がＴ２より大きくなり、図５の（ｃ）に示すように、Ｌ＜ｔｈ２（＜０）になると、物体位置判定部２４は、ランドマークＭ２の検出物体領域Ｒ２の表示領域外での位置が外枠付近でないと判定する。これに応じて、ズーム量制御部２５は、ズーム速度を通常のズーム速度とする。
【０１０９】
よって、図４に示す通り操作量Ｔ２〜の区間では、通常のズーム速度でズーム処理が行われる。なお、減速開始（いいかえれば、低速ズーム速度でのズーム処理開始）から一定時間が経過した場合、ズーム量制御部２５は、ズーム速度を通常のズーム速度に切り替えても構わない。また、検出物体領域Ｒ２が表示領域から所定の量だけ外にフレームアウトしており、かつ、減速開始から一定時間が経過している場合に、ズーム量制御部２５は、ズーム速度を通常のズーム速度に切り替えても構わない。
【０１１０】
（ズーム処理の流れ）
次に、図６を用いて、本実施例に係る画像撮像装置１のズーム処理の流れについて説明する。図６は、実施例１に係る画像撮像装置１のズーム処理の流れについて例示するフローチャートである。
【０１１１】
図６に示すように、まず、画像撮像装置１においてズーム操作が開始されているかを判定する（Ｓ１０１）。すなわち、ズーム操作受付部２３が、ズーム操作の有無を判定する。ズーム操作が開始されていない場合（Ｓ１０１においてＮＯ）、ズーム操作受付部２３は、ズーム操作が開始されるのを待ち受ける。
【０１１２】
次に、ズーム操作が開始されていれば（Ｓ１０１においてＹＥＳ）、物体位置判定部２４が、画像データに対し物体検出処理を行って、その結果、検出物体が存在するか否かを判定する（Ｓ１０２）。検出物体が存在しない場合（Ｓ１０２においてＮＯ）、通常のズーム速度でズーム処理が行われる（Ｓ１１２）。なお、ユーザが操作を中止しない限り（Ｓ１１３においてＮＯの場合）、Ｓ１１２において通常のズーム速度でズーム処理が繰り返し行われる。また、ズームが、ズームできる範囲の限界に達していた場合、処理は終了する。以下において、同様である。
【０１１３】
画像データにおいて検出物体が存在する場合（Ｓ１０２においてＹＥＳ）、物体位置判定部２４が、対象となる検出物体の位置を判定する（Ｓ１０３）。そして、物体位置判定部２４が表示画面内での検出物体の位置が外枠付近でないと判定した場合（Ｓ１０４においてＮＯ）、画像撮像装置１は通常のズーム速度でズーム処理を行う（Ｓ１１０）。なお、ユーザが操作を中止しない限り（Ｓ１１１においてＮＯの場合）、検出物体の位置が外枠付近と判定されるまで、Ｓ１１０において通常のズーム速度でズーム処理が繰り返し行われる。
【０１１４】
物体の位置が外枠付近の位置にある場合（Ｓ１０４においてＹＥＳ）、画像撮像装置１は低速でズーム処理を行う（Ｓ１０５）。具体的には、ズーム量制御部２５が、ズーム速度を低速ズーム速度に設定し、表示制御部２２が設定された低速ズーム速度に基づいてズーム処理を施して画面データを生成する。
【０１１５】
さらに、ズーム量制御部２５は、減速後、所定の時間が経過しているか否かを判定する（Ｓ１０６）。また、減速後、所定の時間が経過していなければ（Ｓ１０６においてＮＯ）、物体位置判定部２４は、検出物体が表示領域外に所定の量だけフレームアウトしているか否かを判定する（Ｓ１０７）。
【０１１６】
ここで、減速後、所定の時間が経過している場合（Ｓ１０６においてＹＥＳ）、または、検出物体が表示領域外に所定の量だけフレームアウトしている場合（Ｓ１０７においてＹＥＳ）、画像撮像装置１は通常の速度でズーム処理を行う（Ｓ１０８）。具体的には、ズーム量制御部２５が、ズーム速度を通常のズーム速度に設定し、表示制御部２２が設定された通常のズーム速度に基づいてズーム処理を施して画面データを生成する。なお、ユーザが操作を中止しない限り（Ｓ１１４においてＮＯの場合）、Ｓ１０８において通常のズーム速度でズーム処理が繰り返し行われる。
【０１１７】
検出物体が表示領域外に所定の量だけフレームアウトしていない場合（Ｓ１０７においてＮＯ）、ズーム操作受付部２３が、ユーザがズーム操作を中止しているか否かを判定する（Ｓ１０９）。ユーザがズーム操作を中止している場合（Ｓ１０９においてＹＥＳ）は、処理は終了する。一方、ユーザがズーム操作を中止していない場合（Ｓ１０９においてＮＯ）はＳ１０５に戻って低速でのズーム処理が引き続き行われる。
【０１１８】
（実施例２）
次に、図７〜図８を用いて、画像撮像装置１のズーム処理の他の実施例について説明する。本実施例では、ズーム速度を徐々に減速することについて説明する。
【０１１９】
本実施例では、ズーム操作中に、検出物体領域が、表示領域Ｄの外枠から所定の距離以内に近づいた場合、ズーム速度を徐々に減速する。また、さらなるズーム操作中に、検出物体領域が、所定の距離以上、表示領域Ｄの外枠からフレームアウトした場合、ズーム速度を徐々に加速する。なお、さらなるズーム操作中に、所定の時間が経過した場合、ズーム速度を徐々に加速してもよい。
【０１２０】
より具体的に説明すると以下のとおりである。なお、以下では、上述の図３、５も参照して、ランドマークＭ２の検出物体領域Ｒ２と、表示領域Ｄの外枠との位置関係について説明する。
【０１２１】
ズーム操作が開始されると、操作量の増加にともない、ズーム処理により検出物体領域Ｒ２の上辺と、表示領域Ｄの外枠の上辺とが接近する。すなわち、操作量の増加にともない図３に示すＬは短くなっていく。ここで、Ｌ＞ｔｈ１であれば、物体位置判定部２４は、ランドマークＭ２の検出物体領域Ｒ２の表示領域内での位置が外枠付近でないと判定する。これに応じて、ズーム量制御部２５は、ズーム速度を通常のズーム速度とする。よって、図７に示す通り操作量Ｔ０〜Ｔ１の区間では、通常のズーム速度でズーム処理が行われる。
【０１２２】
さらに、ズーム操作が継続して行われ、操作量がＴ１になると、図５の（ａ）に示すように、Ｌ＝ｔｈ１となる。さらに、ズーム操作が継続して行われ、操作量がＴｘになると、図５の（ｂ）に示すように、Ｌ＝０となる。このとき、検出物体領域Ｒ２の上辺と、表示領域Ｄの外枠の上辺とが重なり合う。０≦Ｌ＜ｔｈ１において、（すわち、操作量Ｔ１からＴｘの区間において）、物体位置判定部２４は、ランドマークＭ２の検出物体領域Ｒ２の表示領域内での位置が外枠付近であると判定する。この区間において、ズーム量制御部２５は、ズーム速度を、通常のズーム速度から、低速ズーム速度になるまで徐々に減速させる。
【０１２３】
図５の（ｂ）に示す検出物体領域Ｒ２の上辺と、表示領域Ｄの外枠の上辺とが重なり合った状態から、さらに、ズーム操作が継続して行われることでＬが閾値ｔｈ２より小さくなるまでは（すなわち、ｔｈ２＜Ｌ≦０；操作量ＴｘからＴ２の区間）、物体位置判定部２４は、ランドマークＭ２の検出物体領域Ｒ２の表示領域外での位置が外枠付近であると判定する。この区間では、ズーム量制御部２５は、ズーム速度を、通常のズーム速度になるまで徐々に加速させる。
【０１２４】
さらに、操作量がＴ２より大きくなり、図５の（ｃ）に示すように、Ｌ＜ｔｈ２（＜０）になると、物体位置判定部２４は、ランドマークＭ２の検出物体領域Ｒ２の位置が表示領域外の外枠付近でない位置までフレームアウトしていると判定する。これに応じてズーム量制御部２５は、ズーム速度を、通常のズーム速度に維持する。
【０１２５】
なお、減速開始から一定時間が経過した場合は、ズーム量制御部２５は、Ｌ≦０となる前に、加速を開始してもよい。
【０１２６】
（ズーム処理の流れ）
次に、図８を用いて、本実施例に係る画像撮像装置１のズーム処理の流れについて説明する。図８は、実施例２に係る画像撮像装置１のズーム処理の流れについて例示するフローチャートである。
【０１２７】
なお、図８に示すＳ２０１、Ｓ２０２、Ｓ２１０、およびＳ２１１は、それぞれ、図６に示すＳ１０１、Ｓ１０２、Ｓ１１２、およびＳ１１３と同様であるので、ここではその説明を省略する。
【０１２８】
Ｓ２０２においてＹＥＳである場合、物体位置判定部２４が、対象となる検出物体の位置が外枠付近か否かを判定する（Ｓ２０４）。物体位置判定部２４が表示画面内での検出物体の位置が外枠付近でないと判定した場合（Ｓ２０４においてＮＯ）、画像撮像装置１は通常のズーム速度でズーム処理を行う（Ｓ２１２）。なお、ユーザが操作を中止しない限り（Ｓ２１３においてＮＯの場合）、検出物体の位置が外枠付近と判定されるまで、Ｓ２１２において通常のズーム速度でズーム処理が繰り返し行われる。
【０１２９】
物体が外枠付近の位置にある場合（Ｓ２０４においてＹＥＳ）、物体位置判定部２４は、さらに、Ｌ≦０であるか否かを判定する（Ｓ２０５）。
【０１３０】
物体位置判定部２４における判定結果がＬ≦０でない場合（Ｓ２０５においてＮＯ）、ズーム量制御部２５は、減速後、所定の時間が経過しているか否かを判定する（Ｓ２０６）。減速後所定の時間が経過している場合（Ｓ２０６においてＹＥＳ）、ズーム量制御部２５は、ズーム速度を、徐々に加速させる（Ｓ２０７）。ここで、ズーム量制御部２５は、ズーム速度を、通常のズーム速度になるまで徐々に加速させてもよい。
【０１３１】
一方、減速後所定の時間が経過していない場合（Ｓ２０６においてＮＯ）、ズーム量制御部２５が、ズーム速度を、徐々に減速させる（Ｓ２０８）。ここで、ズーム量制御部２５は、ズーム速度を、低速ズーム速度になるまで徐々に減速させてもよい。続いて、ズーム操作受付部２３が、ユーザがズーム操作を中止しているか否かを判定する（Ｓ２０９）。
【０１３２】
ユーザがズーム操作を中止している場合（Ｓ２０９においてＹＥＳ）、処理は終了する。一方、ユーザがズーム操作を中止していない場合（Ｓ２０９においてＮＯ）はＳ２０５に戻ってズーム処理が引き続き行われる。
【０１３３】
また、Ｓ２０５〜Ｓ２０９の処理を繰り返し行うことで、物体位置判定部２４における判定結果がＬ≦０となった場合（Ｓ２０５においてＹＥＳ）、物体位置判定部２４が、Ｌ＜ｔｈ２となっているか否かを判定する（Ｓ２１４）。
【０１３４】
Ｌ＜ｔｈ２となっていない場合（Ｓ２１４においてＮＯ）、Ｓ２０７が実行される。Ｓ２０７は上述のとおりであるので、ここではその説明を省略する。
【０１３５】
一方、Ｌ＜ｔｈ２となっている場合（Ｓ２１４においてＹＥＳ）、画像撮像装置１において、通常のズーム速度に基づいてズーム処理が実行される（Ｓ２１５）。なお、ユーザが操作を中止しない限り（Ｓ２１６においてＮＯの場合）、Ｓ２１５において通常のズーム速度でズーム処理が繰り返し行われる。
【０１３６】
（実施例３）
次に、図９および図１０を用いて、画像撮像装置１のズーム処理の別の実施例について説明する。本実施例では、ズームを停止することについて説明する。
【０１３７】
本実施例では、ズーム操作中に、検出物体領域が、表示領域Ｄの外枠から所定の距離以内に近づいた場合、ズームを停止する（言い換えれば、ズーム速度を０にする）。また、ズーム停止中に、さらなるズーム操作が行われ、所定の時間が経過した場合、ズーム速度を元に戻す。
【０１３８】
より具体的に説明すると以下のとおりである。なお、以下では、上述の図３、５も参照して、ランドマークＭ２の検出物体領域Ｒ２と、表示領域Ｄの外枠との位置関係について説明する。
【０１３９】
ズーム操作が開始されると、操作量の増加にともない、ズーム処理により検出物体領域Ｒ２の上辺と、表示領域Ｄの外枠の上辺とが接近する。すなわち、操作量の増加にともない図３に示すＬは短くなっていく。ここで、Ｌ＞ｔｈ１であれば、物体位置判定部２４は、ランドマークＭ２の検出物体領域Ｒ２の表示領域内での位置が外枠付近でないと判定する。これに応じて、ズーム量制御部２５は、ズーム速度を通常のズーム速度とする。よって、図９に示す通り操作量Ｔ０〜Ｔ１の区間では、通常のズーム速度でズーム処理が行われる。
【０１４０】
さらに、ズーム操作が継続して行われ、操作量がＴ１になると、図５の（ａ）に示すように、Ｌ＝ｔｈ１となる。
【０１４１】
さらに、ズーム操作が継続して行われることで、Ｌ≦ｔｈ１となると、物体位置判定部２４は、ランドマークＭ２の検出物体領域Ｒ２の表示領域内での位置が外枠付近であると判定する。これに応じて、ズーム量制御部２５は、ズーム速度を、“０”にする。これにより、ズーム処理は停止する。
【０１４２】
さらに、ズーム操作が継続して行われた場合、ズーム量制御部２５は、ズーム処理が停止したときから所定の時間ｔｈ＿ｔが経過したか否かを判定する。
【０１４３】
ズーム処理が停止したときから所定の時間ｔｈ＿ｔが経過していない場合（すなわち、停止時間≦ｔｈ＿ｔ）、ズーム量制御部２５は、ズーム速度を、“０”に維持する。よって、ズーム処理が停止したときから所定の時間ｔｈ＿ｔが経過するまでの操作量Ｔ１〜Ｔ３の間、ズーム処理は停止する。
【０１４４】
一方、ズーム処理が停止したときから所定の時間ｔｈ＿ｔが経過した場合（すなわち、停止時間＞ｔｈ＿ｔ）、ズーム量制御部２５は、ズーム速度を、通常のズーム速度に戻す。よって、ズーム処理が停止したときから所定の時間ｔｈ＿ｔが経過した後の操作量Ｔ３以降では、通常のズーム速度でズーム処理が行われる。
【０１４５】
（ズーム処理の流れ）
次に、図１０を用いて、本実施例に係る画像撮像装置１のズーム処理の流れについて説明する。図１０は、実施例３に係る画像撮像装置１のズーム処理の流れについて例示するフローチャートである。
【０１４６】
なお、図１０に示すＳ３０１、Ｓ３０２、Ｓ３０９、およびＳ３１０は、それぞれ、図６に示すＳ１０１、Ｓ１０２、Ｓ１１２、およびＳ１１３と同様であるので、ここではその説明を省略する。
【０１４７】
Ｓ３０３において、物体位置判定部２４が、対象となる検出物体の位置を判定する。具体的には、物体位置判定部２４は、表示領域の外枠からの検出物体領域の位置が閾値以下であるか否かを判定する。いいかえれば、物体位置判定部２４は、表示画面内での検出物体の位置が外枠付近か否かを判定する。
【０１４８】
表示領域の外枠からの検出物体領域の位置が閾値以下でない場合（Ｓ３０４においてＮＯ）、画像撮像装置１は通常のズーム速度でズーム処理を行う（Ｓ３１１）。なお、ユーザが操作を中止しない限り（Ｓ３１２においてＮＯの場合）、検出物体領域の位置が閾値以下であると判定されるまで、Ｓ３１１において通常のズーム速度でズーム処理が繰り返し行われる。Ｓ３１１については、Ｓ１１０と同様であるので、ここでは、その説明を省略する。
【０１４９】
一方、表示領域の外枠からの検出物体領域の位置が閾値以下である場合（Ｓ３０４においてＹＥＳ）、ズーム量制御部２５は、ズーム速度を、“０”にする。これにより、ズーム処理は停止する（Ｓ３０５）。
【０１５０】
次に、ズーム量制御部２５は、減速後、所定の時間が経過しているか否かを判定する（Ｓ３０６）。減速後所定の時間が経過している場合（Ｓ３０６においてＹＥＳ）、ズーム量制御部２５は、ズーム速度を、通常のズーム速度とする（Ｓ３０７）。なお、ユーザが操作を中止しない限り（Ｓ３１３においてＮＯの場合）、Ｓ３０７において通常のズーム速度でズーム処理が繰り返し行われる。
【０１５１】
一方、減速後所定の時間が経過していない場合（Ｓ３０６においてＮＯ）、ズーム操作受付部２３が、ユーザがズーム操作を中止しているか否かを判定する（Ｓ３０８）。
【０１５２】
ユーザがズーム操作を中止している場合（Ｓ３０８においてＹＥＳ）、処理は終了する。一方、ユーザがズーム操作を中止していない場合（Ｓ３０８においてＮＯ）はＳ３０５に戻る。これにより、画像撮像装置１では、ズーム操作が行われても、ズーム処理が停止した状態となる。
【０１５３】
（実施例４）
次に、図１１、図１２を用いて、画像撮像装置１のズーム処理の他の実施例について説明する。本実施例では、ズーム速度を徐々に減速して停止することについて説明する。
【０１５４】
本実施例では、ズーム操作中に、検出物体領域が、表示領域Ｄの外枠から所定の距離以内に近づいた場合、ズーム速度を徐々に減速する。また、さらなるズーム操作により、検出物体領域が、表示領域Ｄの外枠の付近までさらに近づいたとき、ズーム速度を“０”にして、ズーム処理を停止させる。なお、ズーム速度の減速率は、表示領域Ｄの外枠の付近までさらに近づいたとき、ズーム速度を“０”になるように調整すればよい。
【０１５５】
また、ズーム停止中に、さらなるズーム操作が行われ、所定の時間が経過した場合、ズーム速度を徐々に加速する。また、さらなるズーム操作において、所定の時間が経過するか、あるいは、検出物体領域が所定の距離以上表示領域Ｄの外枠からフレームアウトするまでにズーム速度を元に戻す。なお、ズーム速度の加速率は、所定の時間が経過するか、あるいは、検出物体領域が所定の距離以上表示領域Ｄの外枠からフレームアウトするまでにズーム速度が元に戻るように調整すればよい。
【０１５６】
より具体的に説明すると以下のとおりである。なお、以下では、上述の図３、５も参照して、ランドマークＭ２の検出物体領域Ｒ２と、表示領域Ｄの外枠との位置関係について説明する。
【０１５７】
ズーム操作が開始されると、操作量の増加にともない、ズーム処理により検出物体領域Ｒ２の上辺と、表示領域Ｄの外枠の上辺とが接近する。すなわち、操作量の増加にともない図３に示すＬは短くなっていく。ここで、Ｌ＞ｔｈ１であれば、物体位置判定部２４は、ランドマークＭ２の検出物体領域Ｒ２の表示領域内での位置が外枠付近でないと判定する。これに応じて、ズーム量制御部２５は、ズーム速度を通常のズーム速度とする。よって、図１１に示す通り操作量Ｔ１０〜Ｔ１１の区間では、通常のズーム速度でズーム処理が行われる。
【０１５８】
さらに、ズーム操作が継続して行われ、操作量がＴ１１になると、図５の（ａ）に示すように、Ｌ＝ｔｈ１となる。
【０１５９】
さらに、ズーム操作が継続して行われ、閾値ｔｈ１よりも小さい別の閾値ｔｈ１´（ｔｈ１´＜ｔｈ１；ｔｈ１´≧０であってもよい）に対して、Ｌ＝ｔｈ１´になるまで、ズーム量制御部２５は、徐々にズーム速度を減速させる。すなわち、ｔｈ１´＜Ｌ≦ｔｈ１であれば、ズーム量制御部２５は、ズーム速度を徐々に減速させる。
【０１６０】
よって、図１１に示す通り操作量Ｔ１１〜Ｔ１２の区間では、徐々にズーム速度が減速されてズーム処理が行われる。
【０１６１】
操作量がＴ１２になると、Ｌ＝ｔｈ１´となる。
【０１６２】
さらに、操作量がＴ１２以上になり、Ｌ＜ｔｈ１´となると、この区間において、ズーム量制御部２５は、ズーム速度を、ゼロとする。これにより、ズーム処理は停止する。
【０１６３】
ズーム量制御部２５は、ズーム処理が停止してから所定の時間ｔｈ＿ｔ１が経過するまで、ズーム速度をゼロに維持する。よって、操作量Ｔ１２〜Ｔ１３の間は、ズーム処理は停止する。
【０１６４】
ズーム処理が停止してから所定の時間ｔｈ＿ｔ１が経過すると、ズーム量制御部２５は、ズーム速度を徐々に加速させる。そして、ランドマークＭ２の検出物体領域Ｒ２の位置が表示領域の枠から所定の距離（ｔｈ２）以上離れるか、あるいは、ズーム処理が停止してから所定の時間ｔｈ＿ｔ２が経過するまでに、ズーム量制御部２５は、ズーム速度を元の通常のズーム速度に戻す。
【０１６５】
よって、操作量Ｔ１３〜Ｔ１４の間において、ズーム速度が徐々に加速され、操作量Ｔ１４を超えたところで、ズーム速度が通常のズーム速度に戻る。
【０１６６】
（ズーム処理の流れ）
次に、図１２を用いて、本実施例に係る画像撮像装置１のズーム処理の流れについて説明する。図１２は、実施例４に係る画像撮像装置１のズーム処理の流れについて例示するフローチャートである。
【０１６７】
なお、図１２に示すＳ４０１〜Ｓ４０４、Ｓ４１１、Ｓ４１２、Ｓ４１３、およびＳ４１４は、は、それぞれ、図６に示すＳ１０１〜Ｓ１０４、Ｓ１１２、Ｓ１１３、Ｓ１１０、およびＳ１１１と同様であるので、ここではその説明を省略する。
【０１６８】
物体が外枠付近の位置にある場合（Ｓ４０４においてＹＥＳ）、ズーム操作受付部２３が、ユーザがズーム操作を中止しているか否かを判定する（Ｓ４０５）。
【０１６９】
ユーザがズーム操作を中止している場合（Ｓ４０５においてＹＥＳ）、処理は終了する。一方、ユーザがズーム操作を中止していない場合（Ｓ４０５においてＮＯ）、ズーム量制御部２５は、ズーム停止後、所定の時間が経過しているか否かを判定する（Ｓ４０６）。
【０１７０】
ズーム停止後、所定の時間が経過していない場合（Ｓ４０６においてＮＯ）、物体位置判定部２４が、Ｌ≦ｔｈ１´であるか否かを判定する（Ｓ４０８）。
【０１７１】
Ｌ＞ｔｈ１´のとき（Ｓ４０８においてＮＯ）、ズーム量制御部２５が、ズーム速度を、徐々に減速させて（Ｓ４０９）、処理はＳ４０５に戻る。
【０１７２】
一方、Ｌ≦ｔｈ１´のとき（Ｓ４０８においてＹＥＳ）、ズーム量制御部２５が、ズーム速度をゼロとし（すなわち、ズームを停止し）（Ｓ４１０）、処理はＳ４０５に戻る。
【０１７３】
その後、ズーム停止後、所定の時間が経過した場合（Ｓ４０６においてＹＥＳ）、ズーム量制御部２５が、ズーム速度を、徐々に加速させる（Ｓ４０７）。具体的には、ランドマークＭ２の検出物体領域Ｒ２の位置が表示領域の枠から所定の距離（ｔｈ２）以上離れるか、あるいは、所定の時間（ｔｈ＿ｔ２）が経過するまでに、ズーム量制御部２５は、ズーム量制御部２５は、ズーム速度を徐々に加速させてズーム速度を元の通常のズーム速度に戻す。これにより処理は終了する。
【０１７４】
（変形例）
以上の説明では撮影モードにおけるズーム処理について説明したが、これに限られない。画像閲覧モードの画像閲覧機能においても以上に説明したズーム処理を適用することができる。すなわち、画像閲覧機能を有する画像表示装置としての画像撮像装置１においても上記ズーム処理を適用することが可能である。
【０１７５】
（作用・効果）
本実施形態に係る画像撮像装置１は、表示部５０の表示領域Ｄに表示される表示画像をズーム表示する画像撮像装置１であって、上記表示画像に含まれる物体の位置を特定し、上記表示部５０の表示領域Ｄの外枠と上記物体の位置との位置関係を判定する物体位置判定２４と、判定された位置関係に応じて、上記ズーム表示におけるズーム量を変更するズーム量制御部２５と、を備える構成である。
【０１７６】
このため、物体の位置に応じた、適正なズーム処理を行うことができるという効果を奏する。
【０１７７】
〔実施形態２〕
次に、本発明の他の実施形態について、図１３〜図１５を参照して説明する。なお、説明の便宜上、前記実施形態にて説明した部材と同じ機能を有する部材については、同じ符号を付記し、その説明を省略する。以下では、段階式のズーム処理について説明する。
【０１７８】
まず、図１３を用いて、本発明の他の実施形態に係る画像表示装置２について説明する。画像表示装置２は、具体的には、画像閲覧機能を有する情報端末（ノート型ＰＣ、タブレット型ＰＣ、スマートフォン）により実現することが可能である。また、上述した画像撮像装置１の画像閲覧モードが、以下に説明する画像表示装置２によって実現されていてもよい。画像閲覧機能における画像表示は、全画面表示の形式であってもよいし、ウインドウ表示の形式であってもよい。以下では、例示的に、ウインドウ表示の形式について説明する。
【０１７９】
図１３に示すように、画像表示装置２は、記憶部１０、制御部２０Ｂ、操作部３０Ｂ、表示部５０Ｂを備える。
【０１８０】
画像表示装置２は、実施形態１に係る画像撮像装置１において、制御部２０、および操作部３０を、それぞれ、制御部２０Ｂ、および操作部３０Ｂに変更するとともに、撮像部４０を取り除いたものである。
【０１８１】
以下、前記実施形態にて説明されていない、制御部２０Ｂ、操作部３０Ｂ、表示部５０について説明する。
【０１８２】
制御部２０Ｂは、画像撮像装置１における制御部２０において、物体位置判定部２４、およびズーム量制御部２５を、それぞれ、物体位置判定部２４Ｂ、およびズーム量制御部２５Ｂに変更するとともに、操作制御部２６を追加したものである。制御部２０Ｂについては、これら以外の部材は制御部２０と同様であるので、その説明を省略する。操作制御部２６、物体位置判定部２４Ｂ、およびズーム量制御部２５Ｂの詳細については後ほど説明する。
【０１８３】
操作部３０Ｂは、ユーザから各種の入力を受け付けるものであり、例えば、入力用ボタン、キーボード、テンキー、マウスなどのポインティングデバイス、タッチパネル、その他の入力デバイスによって実現できる。操作部３０は、受け付けたユーザの操作に応じて操作データを生成し、生成した操作データを制御部２０Ｂに送信する。
【０１８４】
なお、記憶部１０の画面サイズ情報記憶部１２に記憶されている画面サイズ情報は、ウインドウにおける表示領域Ｑのサイズを示す情報であるとする。また、表示部５０の表示領域Ｄにおいては、その全体または一部に、画像データを表示するためのウインドウが表示される。
【０１８５】
（制御部の構成）
以下、制御部２０Ｂが備える操作制御部２６、物体位置判定部２４Ｂ、およびズーム量制御部２５Ｂの詳細について説明する。
【０１８６】
操作制御部２６は、操作部３０Ｂから送信される操作データに基づいて、入力された操作を検出する。また、操作部３０Ｂにおいて検出された操作に応じた制御を実行する。なお、操作制御部２６は、例えば、キーボードにおいて押下されたキー、マウス、タッチパネルにおいてポイントされた位置、ＧＵＩ部品の種類に応じて、上記操作の検出を行うことができる。
【０１８７】
操作制御部２６は、画像読み込み操作の入力を検出した場合、画像取得部２１に画像を取得するよう指示する。画像読み込み操作は、例えば、キーボードや、マウスによって、ユーザが画像閲覧対象の画像データを指定する操作である。
【０１８８】
また、操作制御部２６は、ズーム操作の入力を検出した場合、ズーム操作受付部２３に、ズーム処理を受け付けるよう指示する。ズーム操作とは、例えば、画面上に表示されるズームボタンをマウスなどによりユーザが押下する操作である。
【０１８９】
物体位置判定部２４Ｂは、ズーム処理が受け付けられたときに、画像データから物体を検出し、画面サイズ情報記憶部１２に記憶されている画面サイズ情報に基づいて、ズーム処理後の物体が表示領域Ｑ内にとどまるか、あるいは表示領域Ｑからはみ出るかを判定するものである。
【０１９０】
ズーム量制御部２５Ｂは、表示領域Ｑ内における物体の位置の判定結果に基づいて、ズーム倍率（あるいは、ズーム量・ズーム速度）を決定する。ズーム量制御部２５は、決定したズーム倍率を表示制御部２２に供給する。
【０１９１】
なお、ズーム量制御部２５Ｂが決定するズーム倍率には、予め設定された通常ズーム倍率と、通常ズーム倍率を調整した調整ズーム倍率とがある。
【０１９２】
調整ズーム倍率は、例えば、通常ズーム倍率でズーム処理を行うと、検出物体が表示領域からはみ出る場合に、検出物体が表示領域からはみ出ない程度に調整されることで得られる。
【０１９３】
（段階式ズーム処理の概要）
次に、図１４を用いて、画像表示装置２における段階式ズームの概要について説明する。画像表示装置２では、以下に示すように、ズーム操作を検出するたびに、ズーム量制御部２５Ｂが決定したズーム倍率で、ズーム処理が行われる。
【０１９４】
状態ＯＰ１は、ズーム処理を行う前の初期状態を示している。ウインドウの表示領域Ｑには、読み込まれた画像データＰが表示される。画像データＰには、人物Ｍ１が含まれる。人物Ｍ１は、物体位置判定部２４における物体検出により検出されており、人物Ｍ１には、検出された物体が存在することを示す検出物体領域Ｒ１が設定される。
【０１９５】
また、表示領域Ｑには、ズームインボタンＢ１と、ズームアウトボタンＢ２とがオーバーラップして表示されている。なお、図１４に示す、ズームインボタンＢ１およびズームアウトボタンＢ２の配置は例示的なものであり、表示領域Ｑだけでなく表示部５０の表示領域Ｄの任意の位置に配置することができる。
【０１９６】
状態ＯＰ１において、ズームインボタンＢ１が１回押下されると、ズーム処理が実行され、画像データＰが２５％拡大される。これにより、状態ＯＰ２に遷移する。
【０１９７】
仮に、状態ＯＰ２において、さらに、ズームインボタンＢ１が１回押下されたときに、ズーム処理において、画像データＰが２５％拡大されたとすると、状態ＯＰ４に示すように、人物Ｍ１の上方が表示領域Ｑからはみ出る。
【０１９８】
画像表示装置２では、状態ＯＰ２においてズームインボタンＢ１が１回押下された場合、人物Ｍ１の上方が表示領域Ｑからはみ出ることを防ぐために、検出物体が表示領域からはみ出ないようなズーム倍率Ｘを計算する。そして、画像表示装置２が計算したズーム倍率Ｘに基づいてズーム処理を行うと、状態ＯＰ３に示すような状態となる。
【０１９９】
状態ＯＰ３では、ズーム倍率Ｘに基づくズーム処理によって、人物Ｍ１の検出物体領域Ｒ１の上辺が、表示領域Ｑの上辺に近接している。
【０２００】
状態ＯＰ３において、さらにズームインボタンＢ１が１回押下された場合、画像表示装置２は、２５％のズーム倍率でズーム処理を行ってもよいし、（２５−Ｘ）％のズーム倍率でズーム処理を行ってもよい。画像表示装置２が、（２５−Ｘ）％のズーム倍率でズーム処理を行った場合、状態ＯＰ４に遷移する。
【０２０１】
（ズーム処理の流れ）
次に、図１５を用いて、本実施形態に係る画像表示装置２のズーム処理の流れについて説明する。図１５は、実施形態２に係る画像表示装置２のズーム処理の流れについて例示するフローチャートである。
【０２０２】
図１５に示すように、まず、画像表示装置２においてズーム操作を受け付けたか否かを判定する（Ｓ５０１）。すなわち、ズーム操作受付部２３が操作制御部２６においてズーム操作が検出されているかどうかを判定する。
【０２０３】
ズーム操作がなされていない場合（Ｓ５０１においてＮＯ）、処理は終了する。一方、ズーム操作がなされている場合（Ｓ５０１においてＹＥＳ）、物体位置判定部２４Ｂが、画像データに対し物体検出処理を行って、検出物体が存在するか否かを判定する（Ｓ５０２）。
【０２０４】
検出物体が存在しない場合（Ｓ５０２においてＮＯ）、ズーム量制御部２５Ｂは、通常ズーム倍率を設定する。これにより、画像表示装置２は、通常ズーム倍率でズーム処理を行う（Ｓ５０９）。
【０２０５】
検出物体が存在する場合（Ｓ５０２においてＹＥＳ）、ズーム量制御部２５Ｂが、前回のズーム処理においてズーム倍率を調整したか否かを判定する（Ｓ５０７）。
【０２０６】
前回のズーム処理においてズーム倍率を調整した場合（Ｓ５０７においてＹＥＳ）、ズーム量制御部２５Ｂが、前回のズーム倍率から今回のズーム処理における調整ズーム倍率を計算する（Ｓ５０８）。そして、計算された調整ズーム倍率に基づいてズーム処理が行われる（Ｓ５０６）。Ｓ５０８では、例えば、通常ズーム倍率が２５％で、前回のズーム倍率がＸであるとき、ズーム量制御部２５Ｂが、２５％−Ｘを計算する。
【０２０７】
前回のズーム処理においてズーム倍率を調整していない場合（Ｓ５０７においてＮＯ）、物体位置判定部２４Ｂが、対象となる検出物体がズーム処理後に表示領域Ｑ内からはみ出るか否かを判定する（Ｓ５０３）。
【０２０８】
対象となる検出物体がズーム処理後に表示領域Ｑからはみ出る場合（Ｓ５０４においてＹＥＳ）、ズーム量制御部２５Ｂは、ズーム処理後、検出物体が表示領域Ｑからはみ出ないようなズーム量を計算し、当該計算したズーム量に基づいて調整ズーム倍率を計算する（Ｓ５０５）。そして、計算された調整ズーム倍率に基づいてズーム処理が行われる（Ｓ５０６）。
【０２０９】
一方、対象となる検出物体がズーム処理後に表示領域Ｑからはみ出ない場合（Ｓ５０４においてＮＯ）、ズーム量制御部２５Ｂは、ズーム倍率を、通常ズーム倍率とする。そして、通常ズーム倍率に基づいてズーム処理が行われる（Ｓ５０９）。
【０２１０】
（作用・効果）
本実施形態に係る画像表示装置２は、表示部５０の表示領域Ｑに表示される表示画像をズーム表示する画像表示装置２であって、上記表示画像に含まれる物体の位置を特定し、上記表示部５０の表示領域Ｑの外枠と上記物体の位置との位置関係を判定する物体位置判定２４Ｂと、判定された位置関係に応じて、上記ズーム表示におけるズーム量を変更するズーム量制御部２５Ｂと、を備える構成である。
【０２１１】
〔実施形態３〕
本発明の別の実施形態について、図１６〜図１８を参照して説明する。なお、説明の便宜上、前記実施形態にて説明した部材と同じ機能を有する部材については、同じ符号を付記し、その説明を省略する。以下では、表示領域における構図に合わせてズーム処理を制御することについて説明する。
【０２１２】
まず、図１６を用いて、本発明の別の実施形態に係る画像撮像装置１Ａについて説明する。画像撮像装置１Ａは、実施形態１に係る画像撮像装置１において、画面サイズ情報記憶部１２および物体位置判定部２４を、それぞれ、構図情報記憶部１３および物体位置判定部２４Ａに変更したものである。画像撮像装置１Ａのこれら以外の部材は画像撮像装置１と同様であるのでその説明を省略する。
【０２１３】
構図情報記憶部１３には、表示部５０の表示領域Ｄにおける構図を規定した構図情報が記憶される。構図情報は、所定の比率で表示領域を分割する構図を示す情報であってもよい。構図情報は、例えば、表示領域Ｄを３分割法により分割して得られる領域に関する情報である。
【０２１４】
３分割法とは、画面を９等分し、それらの線上、もしくは、線同士の交点上に構図上の重要な要素を配置することでバランスをとる手法のことである。
【０２１５】
図１８を用いて、３分割法について具体的に説明すると次のとおりである。図１８は、表示領域Ｄを３分割法により分割する例を示している。
【０２１６】
図１８に示すように、表示領域Ｄは、水平方向の分割線Ａ１１、Ａ１２と、垂直方向の分割線Ａ２１、Ａ２２とによって、９つの領域に均等に分割される。３分割法は、この分割線Ａ１１、Ａ１２、Ａ２１、Ａ２２の線上または交点上に検出物体領域の外枠や、検出物体の重心を配置することにより均整のとれた構図を得る手法である。
【０２１７】
構図情報は、表示領域Ｄを３分割法により分割して得られる９つの分割領域の位置、分割線（境界）およびサイズを示す情報であってもよい。
【０２１８】
物体位置判定部２４Ａは、ズーム処理が受け付けられたときに、画像データから物体を検出し、構図情報記憶部１３に記憶されている構図情報に基づいて、検出した物体の表示領域内での位置を判定するものである。物体位置判定部２４Ａは、検出した物体の位置が、いずれかの分割領域の外枠に近接しているか否かを判定してもよい。また、物体位置判定部２４Ａは、検出した物体の位置が、分割線Ａ１１、Ａ１２、Ａ２１、Ａ２２に近接しているか否かを判定してもよい。物体位置判定部２４Ａは、物体検出領域の外枠を、物体の基準としてもよいし、検出した物体（あるいは物体検出領域）の重心を、物体の位置の基準としてもよい。以下では例示的に、物体位置判定部２４Ａが、物体検出領域の重心を物体の位置の基準とする場合について説明する。なお、例えば、図１８に示す重心Ｇが、人物Ｍ１の物体検出領域Ｒ１の重心である。
【０２１９】
なお、位置の判定（例えば、近接しているか否かの判定）については、既に説明した手法を採用することができるので、ここではその説明を省略する。
【０２２０】
（３分割法を応用したズーム処理について）
次に、図１７および図１８を用いて、３分割法を応用したズーム処理について説明する。以下では、物体位置判定部２４Ａが、図１８に示す人物Ｍ１の物体検出領域Ｒ１の重心Ｇの位置を判定する例について説明する。以下では、図１８に示す人物Ｍ１の物体検出領域Ｒ１の重心Ｇが分割線Ａ２２の右側の領域（３つの分割領域のいずれでもよい）に存在し、ズーム操作とともに、重心Ｇが、分割線Ａ２２、Ａ２１の順に、右側から左側にかけて横切った場合について説明する。
【０２２１】
ズーム処理が開始され、物体検出領域Ｒ１の重心が、分割線Ａ２２に近接する所定の操作量までは、ズーム量制御部２５によって、通常のズーム速度が設定される。
【０２２２】
物体検出領域Ｒ１の重心が、分割線Ａ２２に近接すると、ズーム量制御部２５は、ズーム速度を減速させる（Ｔ２１で示す区間）。図１８に示すように人物Ｍ１の物体検出領域Ｒ１の重心が、分割線Ａ２２に重なっているとき、ズーム量制御部２５は、所定時間ズーム速度をゼロに設定してもよい。
【０２２３】
さらに、ズーム操作が行われることにより、人物Ｍ１の物体検出領域Ｒ１の重心が分割線Ａ２２から所定の距離だけ遠ざかると、ズーム量制御部２５は、ズーム速度を加速させる。
【０２２４】
また、さらにズーム操作が行われることで、人物Ｍ１の物体検出領域Ｒ１の重心が、分割線Ａ２１に近接するとズーム量制御部２５は、ズーム速度を減速させる（Ｔ２２で示す区間）。
【０２２５】
また、さらに、ズーム操作が行われることにより、人物Ｍ１の物体検出領域Ｒ１の重心が分割線Ａ２１から所定の距離だけ遠ざかると、ズーム量制御部２５は、ズーム速度を加速させる。
【０２２６】
なお、以上に示したズーム量制御部２５によるズーム速度の加速・減速は、これまでの実施形態で説明したものを採用することができる。
【０２２７】
（作用・効果）
本実施形態に係る画像撮像装置１Ａは、表示部５０の表示領域に表示される表示画像をズーム表示する画像撮像装置１Ａであって、上記表示部５０の表示領域を所定の構図で複数の分割領域に分割し、上記表示画像に含まれる物体の位置を特定し、上記複数の分割領域の境界と上記物体の位置との位置関係を判定する物体位置判定部２４Ａと、判定された位置関係に応じて、上記ズーム表示におけるズーム量を変更するズーム量制御部２５と、を備える構成である。
【０２２８】
このため、物体の位置に応じた、適正なズーム処理を行うことができるという効果を奏する。
【０２２９】
〔ソフトウェアによる実現例〕
画像撮像装置１、１Ａ、画像表示装置２の制御ブロックは、集積回路（ＩＣチップ）等に形成された論理回路（ハードウェア）によって実現してもよいし、ＣＰＵ（Central Processing Unit）を用いてソフトウェアによって実現してもよい。
【０２３０】
後者の場合、画像撮像装置１、１Ａ、画像表示装置２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２３１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３２】
本発明は、表示画像のズーム処理を行う装置に好ましく適用することができる。例えば、デジタルスチルカメラや、カメラ付きの情報端末（ノート型ＰＣ、タブレット型ＰＣ、スマートフォン）に適用することができる。また、画像閲覧機能を有する情報端末（ノート型ＰＣ、タブレット型ＰＣ、スマートフォン）にも適用することができる。
【符号の説明】
【０２３３】
１、１Ａ  画像撮像装置（画像表示装置、画像撮像機器）
２  画像表示装置（画像表示装置）
１０  記憶部
１１  撮像画像記憶部
１２  画面サイズ情報記憶部
１３  構図情報記憶部
２０  制御部
２４  物体位置判定部（位置特定手段、位置特定手段、分割手段）
２５  ズーム量制御部（ズーム速度変更手段、経過時間判定手段）
３０  操作部
４０  撮像部
５０  表示部
【図１】
2014207616.tif 000003
【図２】
2014207616.tif 000004
【図３】
2014207616.tif 000005
【図４】
2014207616.tif 000006
【図５】
2014207616.tif 000007
【図６】
2014207616.tif 000008
【図７】
2014207616.tif 000009
【図８】
2014207616.tif 000010
【図９】
2014207616.tif 000011
【図１０】
2014207616.tif 000012
【図１１】
2014207616.tif 000013
【図１２】
2014207616.tif 000014
【図１３】
2014207616.tif 000015
【図１４】
2014207616.tif 000016
【図１５】
2014207616.tif 000017
【図１６】
2014207616.tif 000018
【図１７】
2014207616.tif 000019
【図１８】
2014207616.tif 000020